(57)【要約】【課題】蓋の端部を指で持ち上げるようにして蓋を開ける際、幼年者、高齢者、身障者等のように指先や手の力が弱い者であっても、容易かつ安全に蓋を開けることができるようにした嵌合蓋を備えた容器を提供する。【解決手段】容器１の開口部３に蓋２を嵌め込んで該蓋の端部を指先で持ち上げることによって該蓋を開けるようにした嵌合蓋を備えた容器において、容器１の開口部３に蓋２を嵌め込んだ状態で該蓋２の外周縁２ａが露出しないように容器１の開口部３に蓋２の外周縁２ａを覆うシール部４が形成されると共に、該シール部４の複数箇所に該シール部を部分的に切り離す剥離部５が設けられたことによって、蓋２の外周縁２ａを複数箇所にて部分的に露出可能とし、夫々の剥離部５が切り離されることによって露出する容器１の開口部３における所定箇所に蓋２の外周縁２ａに指先を係止し得る凹部１０を形成した。【選択図】図２ 
0003108820.tif 000002
【実用新案登録請求の範囲】
【請求項１】
容器の開口部に蓋を嵌め込んで該蓋の端部を指先で持ち上げることによって該蓋を開けるようにした嵌合蓋を備えた容器において、前記容器の開口部に前記蓋を嵌め込んだ状態で該蓋の外周縁が露出しないように前記容器の開口部に前記蓋の外周縁を覆うシール部が形成されると共に、該シール部の複数箇所に該シール部を部分的に切り離す剥離部が設けられたことによって、前記蓋の外周縁を複数箇所にて部分的に露出可能とし、夫々の剥離部が切り離されることによって露出する前記容器の開口部における所定箇所に前記蓋の外周縁に指先を係止し得る凹部を形成したことを特徴とする嵌合蓋を備えた容器。
【考案の詳細な説明】
【技術分野】
【０００１】
本考案は、薬液、ジュース、その他の飲料、飴、お菓子、粒状の薬剤、飴、お菓子、梅干等の食用品、さらにはサプリメント等の粒状物を収容するための容器の蓋を容易かつ安全に開けるようにした嵌合蓋を備えた容器に関する。
【背景技術】
【０００２】
従来、薬液、ジュース、その他の飲料、飴、お菓子、粒状の薬剤、飴、お菓子、梅干等の食用品、さらにはサプリメント等の粒状物（以下、「内容物」という）を収容するために用いられている容器には蓋が密閉状態で封止されている。これは、容器の内容物がこぼれないようにするため、或いは衛生管理の面から必要とされ、その最も簡易な形態としては、蓋の外周と容器とをビニールテープで同時に張り付けることによって、蓋と容器とを一体的に結合するようにしたものである。
【０００３】
ところが、上記の構成は、蓋をビニールテープで密閉状に閉封しただけであり、このビニールテープを開封した後に蓋を開ける動作は、従来と同様に蓋を指先で引き上げる動作が必要であり、幼年者、高齢者、身障者等のように指先や手の力が弱い者にとっては困難な作業であって、内容物をこぼしてしまったりするという欠点があった。
【０００４】
そこで、従来から、密閉した蓋を容易且つ安全に開けることができるようにしたものが開発されている。その一例として、特許文献１をあげると、これは「セーフティバンド付き容器」と称せられるもので、その構成は、図８に示すように、容器本体30に対してプラスチック製のキャップ31が被せられると共に、このキャップ31の縁部全周に帯状のセーフティバンド32が設けられ、キャップ31を開封する際にはセーフティバンド32を縁部３から引き切って取り除くセーフティバンド付き容器であって、引き切り始めからキャップ全周の概略４分の３に該当する位置で、セーフティバンド32に薄肉部、切欠、または切り込み34を形成したことを特徴とするものである。
【特許文献１】特開２００１−１２８７３８号公報
【考案の開示】
【考案が解決しようとする課題】
【０００５】
ところで、上記のセーフティバンド付き容器は、主として、容器本体の開口部の外周に設けられたねじ状凹凸に蓋の内周に設けられたねじ状凹凸を捻じ込んで閉じるようにした捻じ込み式の蓋構造に適用されることが多く、本考案のように蓋を容器の開口部に嵌め込むようにした嵌合形式の蓋に適用するのには不適当である。というのは、嵌合形式の蓋の場合、蓋の端部を指先で持ち上げる動作を必要とするが、上記のセーフティバンド付き容器において、セーフティバンドを切り取っただけでは、容器の開口部に嵌め込んだ蓋を容易に開けることができる構造とはならないからである。
【０００６】
また、上記のセーフティバンド付き容器において、セーフティバンドは蓋の全周に設けられるものであり、セーフティバンドを切り取ってしまうと、このセーフティバンドは廃棄することになるため、容器の開口が大径になるほど廃棄するセーフティバンドに無駄が生じるという欠点があった。
【０００７】
さらに、蓋を容器の開口部に嵌め込むようにした嵌合形式の蓋構造の場合、容器を持つほうの手と蓋を開けるほうの手の力が不十分である場合、蓋を開けることができたとしても、蓋を開けた反動で容器の内容物をこぼしてしまうという欠点があった。
【０００８】
本考案は、上記の事情に鑑みてなされたもので、蓋の端部を指で持ち上げるようにして蓋を開ける際、幼年者、高齢者、身障者等のように指先や手の力が弱い者であっても、その蓋を開けるという動作を容易に行うことができ、かつ容器の内容物がこぼれたりしないように、大径の開口部を有する容器であっても弱い力で容易かつ安全に蓋を開けることができるようにした嵌合蓋を備えた容器を提供することを目的とする。
【課題を解決するための手段】
【０００９】
上記の目的を達成するために、本考案の請求項１の蓋を備えた容器は、容器の開口部に蓋を嵌め込んで該蓋の端部を指先で持ち上げることによって該蓋を開けるようにした嵌合蓋を備えた容器において、前記容器の開口部に前記蓋を嵌め込んだ状態で該蓋の外周縁が露出しないように前記容器の開口部に前記蓋の外周縁を覆うシール部が形成されると共に、該シール部の複数箇所に該シール部を部分的に切り離す剥離部が設けられたことによって、前記蓋の外周縁を複数箇所にて部分的に露出可能とし、夫々の剥離部が切り離されることによって露出する前記容器の開口部における所定箇所に前記蓋の外周縁に指先を係止し得る凹部を形成したことを特徴とする。
【考案の効果】
【００１０】
本考案は、上記のように、容器の開口部に蓋を嵌め込んだ状態で該蓋の外周が露出しないように容器の開口部に蓋の外周縁を覆うシール部を形成し、該シール部の複数箇所に該シール部を部分的に切り離す剥離部が設けられたことによって蓋の外周縁を部分的に露出し、夫々の剥離部が切り離されることによって露出する容器の開口部における所定箇所に蓋の外周縁に指先を係止し得る凹部を形成した構成としてあるため、複数の剥離部を切り離すことによって蓋の外周縁を複数箇所部分的に露出し、この剥離部を切り離して露出する容器の凹部に指先を入れて蓋の外周縁に指先を係止し、そのまま持ち上げることによって蓋を部分的に開き、複数の剥離部において蓋を部分的に開くことによって、蓋の全体を容易かつ安全に開くことを可能としたものである。
【００１１】
上記のように、容器のシール部に複数の剥離部が設けられた構造であるため、夫々の剥離部を切り離すことによって蓋の外周縁の下部に複数の凹部が露出する。このように夫々の凹部に指先を入れて蓋の外周縁を部分的に持ち上げる動作は、弱い指先の力でも容易に可能である。また、このようにして蓋の外周の複数箇所を開いた状態にすると、蓋の全体を開ける動作には反動もなく緩やかに行うことができ、容器の内容物をこぼしてしまうこともなく、蓋を容易且つ安全に開けることが可能となる。
【００１２】
また、本考案の開口部を備えた容器は、容器の開口部に蓋を嵌め込んだ状態で該蓋の外周縁が露出しないように容器の開口部に蓋の外周縁を覆うシール部を形成してあるため、蓋を開けるには、まず剥離部を切り離すしかない。従って、本考案の開口部を備えた容器は、商店等にて容器の剥離部を開けると、不正に蓋を開けたことが目視で確認できるため、そのような不正行為を防止することが可能となる。
【考案を実施するための最良の形態】
【００１３】
以下、本考案の実施例について図面を参照しながら説明する。
【実施例１】
【００１４】
本考案による嵌合蓋（単に「蓋」と言う場合がある）を備えた容器は、図３に示すように、容器１の開口部３の外周をなす開口部３に嵌め込んだ蓋２の端部を指先で持ち上げて蓋２を開けるようにしたものである。このような構成において、図１に示すように、容器１の開口部３に蓋２を嵌め込んだ状態で該蓋２の外周縁２ａが露出しないように容器１の開口部３に蓋２の外周縁２ａを覆うシール部４が形成されている（図７(a)参照）。また、図２に示すように、シール部４の複数箇所（図４参照）に該シール部４を部分的に切り離す剥離部５を設けたことによって蓋２の外周縁２ａを部分的に露出し、この剥離部５によってシール部４が部分的に切り離されて露出する容器１の開口部３における所定部位に蓋２の外周縁２ａに指先を係止し得る凹部１０を形成したものである。
【００１５】
上記の構成についてより詳細に述べると、図１に示すように、本考案に係る嵌合蓋２を備えた容器１は、容器１の開口部３に蓋２を嵌め込んだ嵌合構造の蓋２を備えた容器１に関するものである。
【００１６】
なお、本実施例においては、容器１としてやや高さのある樹脂製容器を図示してあるが、この容器１の形状、高さ、外径等の大きさについては、図示のものに特定されるものではない。また、その容器１の内部に収容する内容物についても特定されず、薬液、ジュース、その他の飲料、飴、お菓子、粒状の薬剤、飴、お菓子、梅干等の食用品、さらにはサプリメント等の粒状物、その他の様々な物を収容可能である。
【００１７】
図１に示すように、容器１の開口部３に蓋２を嵌め込んだ状態でこの蓋２の外周が露出しないように容器１の開口部３に蓋２の外周縁２ａを覆うシール部４を形成している。この実施例において、容器１の開口部３及びこの開口部３に嵌めこむ蓋２の嵌合構造は、図５(a)に示すように、容器１の上端に突出片６を有し、この突出片６に嵌合する嵌合部７を蓋２の内周に構成したものであり、このような蓋２の嵌合部７を容器１の突出片６に嵌めこむと、蓋２は容器１の開口部３を密閉状に閉塞するものとなる。
【００１８】
また、容器１の突出片６の内側には突出片６からやや下がった位置に周状の段差８を有し、この段差８に紫外線遮断フィルム９（図５(b)参照）の外周を付着することによって、内容物が薬剤、サプリメント等である場合の内容物の劣化を防止することができる。この紫外線遮断フィルム９は、蓋２を開けた後、フィルム９を上方から突き破るか、フィルム９の端部から剥がし取ることによって取り除くことができる。
【００１９】
また、上記のような容器１の内側の段差８に密閉用フィルム９’の外周を付着することによって、容器１内の気密性を保つことができる。さらに、このフィルム９’の上面に宣伝用のデザインや文字を印刷したり、フィルム９’の上面に他の宣伝用シート（不図示）を上載しておき、蓋２を透明樹脂で形成することにより、この蓋２を外部から透視して宣伝用シートに印刷された宣伝内容を外部から見ることが可能となる。
【００２０】
また、上記のように容器１の内側に設けられた段差８には、図６に示すように補助容器２０の上端外周に設けられた鍔部２１を係止することによって、この補助容器２０を容器１内の上部に収容したり、蓋２を開けたときは、容器１から補助容器２０を取り出してその中に収容した物品を使用することができる。また、補助容器１の上端外周の鍔部２１には紫外線遮断フィルム又は密閉用フィルム等のフィルム２２の外周を圧着又は密封して補助容器１内に収容した物品を容器１の内容物と分離した状態で新鮮に保つこことができる。
【００２１】
このような補助容器２０の用途としては、容器１にインスタントコーヒー又は紅茶パックを収容し、補助容器２０にチョコレートやスナック菓子等を収容する。また、容器１に乾燥ラーメンを収容し、補助容器２０に乾燥したねぎ等の具や粉末調味料を収容する。また、餡蜜の場合、容器１に袋入りの寒天や黒豆等を収容し、補助容器２０に袋入りの餡子や黒蜜等を収容する等、別体になった容器１と補助容器２０との使い分けによって様々に利用することが可能となる。
【００２２】
また、容器１の突出片６の外周には、図５(a)又は(b)に示すように、下方へ向けて傾斜した勾配部１１が形成され、この勾配部１１の外周には蓋２の外周縁２ａを係止する凹形外周１５が形成され、さらにその外周に上方へ小幅だけ突出すると共に、下方へ垂下した幅を有するシール部４が形成されている。一方、蓋２は、その外周に、容器１の突出片６を嵌合する嵌合部７と容器１の勾配部１１に沿う傾斜部１６を有する。この蓋２を容器１の開口部３に嵌め込むことによって、蓋２の外周縁２ａがシール部４で覆われ、蓋２の外周縁２ａが露出しない構造となる。従って、容器１に蓋２をした状態では、蓋２の外周縁２ａはシール部４に覆われているため、蓋２の外周縁２ａに指先を係止することによって蓋２を開けることは不可能である。
【００２３】
さらに、図２に示すように、本実施例においてはシール部４の複数箇所に設けられた剥離部５を切り離すことによって蓋２の外周縁２ａを部分的に露出する構成となり、この剥離部５が部分的に切り離されて露出する容器１の開口部３における所定部位に蓋２の外周縁２ａに指先を係止すために該指先を挿入する凹部１０が形成されている。
【００２４】
即ち、本実施例において、シール部４に設けられた複数の剥離部５は、図４に示すように、蓋２のシール部４の３箇所に均等間隔で設けてある。なお、その数は上記の３箇所に限定されるものではなく、容器１の開口部３の径、蓋２を開ける際の硬さ等によって決めるべきものである。
【００２５】
また、本実施例において、シール部４に設けられた夫々の剥離部５に対応する所定箇所に凹部１０が設けられ、該凹部１０に指先を入れることによって蓋２の外周縁２ａを持ち上げることができるようにしている。本考案は、そのような凹部１０を複数箇所設けることによって、蓋２の外周縁２ａを複数箇所で持ち上げることにより、蓋２が大径である場合でも、容易に蓋２を開けることができるようにしたものである。
【００２６】
即ち、図１(ｂ)において、容器１の開口部３に形成された凹部１０の外周には剥離部５が設けられている。この剥離部５はシール部４の一部をなすものであるが、容器１の凹部に対応する部位にて、剥離部５の一側は凹部１０の縁部に結合した構成とされ、剥離部１０を扉のように開ける際のヒンジ部１２としてある。また、その他の剥離部５とシール部４とが結合する箇所において、剥離部５とシール部４とを部分的に結合する繋ぎ部１３を離間した箇所に複数数箇所形成し、繋ぎ部１３以外の箇所は剥離部５とシール部４とが互いに離間した押切部１４とされている。また、夫々の剥離部５の上方に突出部５ａを形成し、この突出部５ａに指先をかけて引張ることができるようにしている。
【００２７】
従って、図１(ａ)及び(ｂ)のように構成された容器１のシール部４の剥離部５を、図７(a)に示すように押し込むことによって、図７(b)に示すように繋ぎ部１３の結合が破断され、剥離部５が容器１の凹部１０に押し込まれる。また、このように容器１の凹部１０に押し込まれた剥離部５の係止片５ａを指先で引っ掛けて手前に引くことによって、図２に示すように容器１の凹部１０を露出することができる。
【００２８】
そこで、図７(c)に示すように、容器１の凹部１０に指先を入れて該容器１の凹部に露出した蓋２の外周縁２ａに指先を引っ掛けて上方に持ち上げると、蓋２の一部が開封する。このまま蓋２の全体を持ち上げることも可能であるが、それには相応の力を有するものであるため、蓋２の３箇所に設けられた夫々の剥離部５、５…を押し込んで開封し、夫々の凹部１０、１０…に指先を入れて、蓋２を部分的に持ち上げることによって、蓋２の全体を容易に開けることが可能となる。
【００２９】
なお、シール部４の複数の剥離部５、５…を切り離した後は、常に容器１の複数の凹部１０、１０…が露出した状態となるため、複数の剥離部５、５…を切り離すという作業が不要となり、容器１に蓋２をしたり、この蓋２を上記のように容易かつ安全に開くことを繰り返して行うことが可能となる。
【産業上の利用可能性】
【００３０】
本考案の嵌合蓋を備えた容器は、容器の開口部に設けられた蓋の外周縁を覆うシール部の複数箇所に該シール部を部分的に開封する剥離部が設けられ、夫々の剥離部が切り離されることによって露出する容器の凹部に指先を入れて蓋の外周縁に指先を係止し、そのまま持ち上げることによって蓋を部分的に開き、複数の剥離部において蓋を部分的に開くことによって、蓋の全体を容易かつ安全に開くことを可能としたものであるため、幼年者、高齢者、身障者等のように指先や手の力が弱い者であっても、その蓋を開けるという動作を容易に行うことができ、かつ容器の内容物がこぼれたりしないように、大径の開口部を有する容器であっても弱い力で容易かつ安全に蓋を開けることができるようにした嵌合蓋を備えた容器としての利用が可能である。
【図面の簡単な説明】
【００３１】
【図１】(a)は本考案による嵌合蓋を備えた容器の全体斜視図であり、(b)は容器のシール部に設けられた剥離部の部分的拡大図である。
【図２】本考案による嵌合蓋を備えた容器のシール部の剥離部を切り離した状況を示す全体斜視図である。
【図３】本考案による嵌合蓋を備えた容器の蓋を持ち上げた状況を示す全体斜視図である。
【図４】本考案による嵌合蓋を備えた容器を上方から見た平面図であり、シール部に設けられた３箇所の剥離部を切り離した状況を示す。
【図５】(a)は本考案による嵌合蓋を備えた容器の断面図（容器の凹部及び剥離部は図示されていない）であり、(b)は蓋を開けた状況を示す部分図である。
【図６】本考案による嵌合蓋を備えた容器の内側の段差に補助容器の外周の鍔部を係止するようにした構造を示す分解斜視図である。
【図７】本考案による嵌合蓋を備えた容器のシール部の剥離部周辺に関する断面図であり、(a)は剥離部を切り離す前の状況を示し、(b)は剥離部を切り離した状況を示し、(c)は容器の凹部に指先を入れて蓋の外周縁を部分的に持ち上げている状況を示し、(d)は蓋を持ち上げた状況を示す。
【図８】特許文献１のセーフティバンド付き容器のセーフティバンドを開けている状況を示す斜視図である。
【符号の説明】
【００３２】
１…容器
２…蓋（嵌合蓋）
２ａ…外周縁
３…開口部
４…シール部
５…剥離部
６…突出片
７…嵌合部
８…段差
９…紫外線遮断フィルム
９’…密閉用フィルム
１０…凹部
１１…勾配部
１２…ヒンジ部
１３…繋ぎ部
１４…押切部
１５…凹形外周
１６…傾斜部
２０…補助容器
２１…鍔部
２２…フィルム
【図１】
0003108820.tif 000003
【図２】
0003108820.tif 000004
【図３】
0003108820.tif 000005
【図４】
0003108820.tif 000006
【図５】
0003108820.tif 000007
【図６】
0003108820.tif 000008
【図７】
0003108820.tif 000009
【図８】
0003108820.tif 000010